(57)【要約】【課題】刈払機において、後端ユニットのハウジングの上面に凹部を設け、かつ、凹部に水が溜まらないようにする。【解決手段】刈払機は、前端部と後端部を有する棒状体を呈する支持棹と、刈払いのための回転刃を含み支持棹の前端部に配設されたカッタユニットと、支持棹の後端部に配設された後端ユニットと、作業者が使用時に把持するために支持棹に配設されたハンドルとを備えて構成される。後端ユニットは、その外殻をなすハウジングがその上面部に周壁で囲まれた底部で形成された凹部を有し、凹部の底部にハウジングの外に通じる排水孔が開けられている。【選択図】図２
2014117264.tif 000002
【特許請求の範囲】
【請求項１】
前端部と後端部を有する棒状体を呈する支持棹と、
刈払いのための回転刃を含み前記支持棹の前記前端部に配設されたカッタユニットと、
前記支持棹の前記後端部に配設された後端ユニットと、
作業者が使用時に把持するために前記支持棹に配設されたハンドルと
を備えてなり、
前記後端ユニットは、その外殻をなすハウジングがその上面部に周壁で囲まれた底部で形成された凹部を有し、前記凹部の前記底部に前記ハウジングの外に通じる排水孔が開けられている
ことを特徴とする刈払機。
【請求項２】
請求項１に記載の刈払機において、
前記排水孔が前記凹部の前記周壁を貫通して前記ハウジングの外に開口している
ことを特徴とする刈払機。
【請求項３】
請求項１に記載の刈払機において、
前記排水孔が前記凹部の前記底部の壁を掘り下げた後に外向きに貫通して前記ハウジングの外に開口している
ことを特徴とする刈払機。
【請求項４】
請求項１〜３のいずれか１項に記載の刈払機において、
前記凹部の前記底部が前方に向かって下向きに傾斜しており、前記底部の前端において前記排水孔が設けられている
ことを特徴とする刈払機。
【請求項５】
請求項１〜４のいずれか１項に記載の刈払機において、
前記凹部に前記モータの運転を制御するための制御操作子が配置されている
ことを特徴とする刈払機。
【請求項６】
請求項１〜５のいずれか１項に記載の刈払機において、
前記凹部が小物入れとして設けられている
ことを特徴とする刈払機。
【請求項７】
請求項１〜６のいずれか１項に記載の刈払機において、
前記ハウジングが繊維強化樹脂で形成されている
ことを特徴とする刈払機。
【発明の詳細な説明】
【技術分野】
【０００１】
この発明は、草刈機、芝刈機など、刈払機に関し、特に、支持棹の前端に草刈りなどのための回転刃を含むカッタユニットを備え、支持棹の後端に後端ユニットを備え、支持棹の所定位置に作業者が使用時に刈払機を把持するためのハンドルを備えてなる刈払機に関し、後端ユニットのハウジングの上面に周壁で囲まれた底面で形成される凹部を設け、当該凹部の底部から外部に連通開口する排水通路を形成して、凹部に水が溜まらないように工夫したものである。
【背景技術】
【０００２】
公園や土手の雑草、庭の芝生などを刈り払うための刈払機は、前端にカッタユニットが配設され後端に後端ユニットが配設された支持棹を、支持棹に配設されたハンドルを両手で持って小脇に抱えて、カッタユニットの回転刃を地面に沿って前後左右に移動させながら、そこに生えている雑草や芝を刈り払うものである。後端ユニットは、モータ用の電源としてバッテリを取り付けたり、モータの運転を制御するための制御回路および作業者が操作するための制御操作子を設けたりする場合が多く、その場合、制御操作子は、作業性の面から後端ユニットのハウジングの上面に設けられるが、制御操作子への不本意な接触による意図しない刈払機の作動や衝撃による制御操作子の破損を回避する意味で、制御操作子が設けられるハウジングの上面部を制御操作子の周りで高くして周壁で囲まれた凹部として形成すると好都合である。
【０００３】
しかしながら、この種の刈払機は、屋外で使用するため、雨、露など水に濡れる場合が多く、ハウジングの上面に設けられた凹部には、水が溜まりやすい。そこに水が溜まると、制御操作子や制御回路の電気系にとって好ましくない。また、そこに制御操作子を設けない設計の場合でも、後端ユニットのハウジングの上面に何らかの小物入れを形成する場合もあり、その場合でもその凹部に水が溜まることは、好ましくない。従来のこの種の刈払機では、ハウジングの上面に水が溜まることに関して、配慮がなされていなかった。
【先行技術文献】
【特許文献】
【０００４】
【特許文献１】特開２０１１−１４２８５９号公報
【発明の概要】
【発明が解決しようとする課題】
【０００５】
この発明は、後端ユニットのハウジングの上面に凹部を設けた場合に、そこに水が溜まらないように構成した刈払機を提供することを目的とする。
【課題を解決するための手段】
【０００６】
上記の課題を解決するために、この発明による刈払機は、前端部と後端部を有する棒状体を呈する支持棹と、刈払いのための回転刃を含み支持棹の前端部に配設されたカッタユニットと、支持棹の後端部に配設された後端ユニットと、作業者が使用時に把持するために支持棹に配設されたハンドルとを備えてなり、前記後端ユニットは、その外殻をなすハウジングがその上面部に周壁で囲まれた底部で形成された凹部を有し、当該凹部の底部にハウジングの外に通じる排水孔が開けられている、ことを特徴とする。
【０００７】
この発明の刈払機では、前記排水孔を、凹部の周壁を貫通させてハウジングの外に開口して設けると、好適である。
【０００８】
この発明の刈払機では、前記排水孔を、凹部の底部の壁を掘り下げた後に外向きに貫通させてハウジングの外に開口して設けると、好適である。
【０００９】
この発明の刈払機では、前記凹部の底部を前方に向かって下向きに傾斜させて、当該底部の前端に前記排水孔を設けると、好適である。
【００１０】
この発明の刈払機の構成は、前記凹部にモータの運転を制御するための制御操作子を配置した場合に、好適である。
【００１１】
この発明の刈払機の構成は、前記凹部が小物入れとして設けられている場合にも、好適である。
【００１２】
この発明の刈払機では、後端ユニットのハウジングが繊維強化樹脂で形成されていると、好適である。
【発明の効果】
【００１３】
この発明によれば、刈払機の後端ユニットのハウジングに必要に応じて凹部を設けた場合に、そこに水が溜まって刈払機にとって不都合な事態が起こる可能性を減じることができる。
【図面の簡単な説明】
【００１４】
【図１】この発明の一実施形態による刈払機の全体の外観を示す斜視図である。
【図２】この発明の一実施形態による刈払機の後端ユニットを左前方斜め上から見た斜視図である。
【図３】この発明の一実施形態による刈払機の後端ユニットのハウジングを左右二つ割りで成型した場合の、右半分のハウジング体を内側から見た側面図である。
【図４】図３のハウジング体のＡ−Ａ線から見た断面図である。
【発明を実施するための形態】
【００１５】
以下に、この発明による刈払機の実施形態を、図面を参照しながら説明する。この発明の実施形態による刈払機は、その全体像は、図１に示すような外観を呈するものであり、支持棹１の前端にカッタユニット２が配設され、支持棹１の後端に後端ユニット３が配設され、支持棹１の中程の後端寄りの位置にハンドル４が配設されて構成されており、ハンドル４を両手で持って支持棹１を小脇に抱えて、カッタユニット２の回転刃２１を地面に沿って前後左右に移動させながら、そこに生えている雑草や芝を刈り払うものである。
【００１６】
この発明の実施形態による刈払機では、カッタユニット２は、そのハウジング内に駆動用のモータおよび減速歯車を収容し、モータにより減速歯車を介して駆動される回転刃２１を下面外部に露出させて回転可能に保持しており、後端ユニット３は、交換可能なバッテリ３１を取り付けて、制御操作子３２により作業者が行う制御に応じて内部に設けた制御回路を介してバッテリ３１の電力をカッタユニット２のモータに供給することにより、刈払機が運転される。
【００１７】
この発明の実施形態による刈払機の後端ユニット３は、図２に示す外観を呈しており、後端ユニット３のハウジング３０は、ガラス繊維３０％強化ポリカーボネート樹脂（ＰＣ−ＧＦ３０）で板状の外殻として左右二つ割りの形に成型されており、右半分のハウジング体を内側から見て図３に示すように、内部に支持棹１（図１）を挟み付けるためや、制御回路基板（図示せず）などを取り付けるための各種の支持桟が形成されている。
【００１８】
図２および図３に示すように、ハウジング３０の上面の前半分の辺りに四方を周壁３３で囲まれた底部３４で凹部が形成されており、その中に制御操作子３２が配設されている。制御操作子３２は、このように凹部の底部３４の掘り下げた位置に取り付けられているので、周囲の周壁３３に保護されて、外の物体が不用意にぶつかる可能性が少なくなる。底部３４の上面は、図３から分かるように、前方に向かって下向きに傾斜していて、前端において前部の周壁３３ｆを貫通して排水孔３５がハウジングの外に開口している。また、図示してないが、排水孔は、底部３４の壁を一旦下向きに掘り進めた後に外向きに貫通させてハウジング３０の外に開口させることもできる。
【００１９】
なお、ハウジング３０の下面側の壁面には、内部に水が進入した場合に、その水を排水するために、排水孔３６、３７を下向きに貫通させて設けてある。
【００２０】
後端ユニット３のハウジング３０には、さらに、外部の空気を内部に取り入れるための吸気孔３８が設けられており、吸気孔３８を通して吸い込まれた空気が、支持棹１の管体の中を通って前端部に配設されたカッタユニット２へと流れて、モータや減速歯車を冷却する。また、吸気孔３８は、図４に示すように、孔の奥の所に起立壁３８ｓが形成されていて、空気と一緒に吸い込まれる水分が成る可く中へ入っていかないようにしてある。
【００２１】
以上説明したように、この発明の刈払機によれば、後端ユニットの上面に設けた凹部に水が溜まらなくなるので、好都合である。
【符号の説明】
【００２２】
１…支持棹、２…カッタユニット、３…後端ユニット、４…ハンドル、３０…ハウジング、３２…制御操作子、３３…周壁、３４…底部、３５…排水孔。
【図１】
2014117264.tif 000003
【図２】
2014117264.tif 000004
【図３】
2014117264.tif 000005
【図４】
2014117264.tif 000006